(57)【要約】【課題】嘔気・嘔吐を伴いやすい検査・治療時に事前に貼付することにより嘔気・嘔吐を排除し、及び嘔気・嘔吐の症状を伴う疾患の症状を緩和させるパッチ及び方法。【解決手段】イオン化傾向の差が大きい一対の金属薄片（１２、１４）と、金属薄片を互いに接続する導線（１６）と、金属薄片に付けられる剥離片（１８ａ）付き粘着パッチ（１８）とを備えていることを特徴とする嘔気・嘔吐抑制パッチ（１０）が提供される。金属薄片は、好ましくは、銅とアルミニウム、或いは、金とチタンの組合せである。【選択図】　図１
2004051560.tif 000002
【特許請求の範囲】
【請求項１】
イオン化傾向の差が大きい一対の金属薄片と、
前記金属薄片に付けられる剥離片付き粘着パッチと、
を備えていることを特徴とする嘔気・嘔吐抑制パッチ。
【請求項２】
前記金属薄片を互いに接続する導線を更に備えていることを特徴とする請求項１に記載の嘔気・嘔吐抑制パッチ。
【請求項３】
前記金属薄片が、銅とアルミニウム、或いは、金とチタンの組合せであることを特徴とする請求項１又は２に記載の嘔気・嘔吐抑制パッチ。
【請求項４】
イオン化傾向の差が大きい一対の金属薄片を準備し、イオン化傾向の小さい方の金属薄片を天突に密着させ、イオン化傾向の大きい方の金属薄片を承漿に密着させることを特徴とする嘔気・嘔吐抑制方法。
【請求項５】
前記金属薄片が、導線によって互いに接続されていることを特徴とする請求項４に記載の嘔気・嘔吐抑制方法。
【請求項６】
前記金属薄片が、銅とアルミニウム、或いは、金とチタンの組合せであることを特徴とする請求項４又は５に記載の嘔気・嘔吐抑制方法。
【発明の詳細な説明】
【０００１】
【発明の属する技術分野】
本発明は一般に、嘔気・嘔吐抑制パッチ及び方法に関する。より詳細には、本発明は、事前に貼付することより嘔気・嘔吐の抑制を可能にする嘔気・嘔吐抑制パッチ及び方法に関する。
【０００２】
【従来の技術】
歯科、医科の診療に際して患者が嘔気・嘔吐の症状を呈すことがある。嘔気・嘔吐の出現は、患者の精神状態に密接に係わっているとされており、診療時に患者をリラックスさせることが重要であるが、それだけで嘔気・嘔吐がおさまることは殆どない。歯科の印象採得（型取り）では、嘔気・嘔吐の出現を抑えるため、水平状態に寝かせた患者の口腔内に印象材を入れた後、速やかに治療用ユニットを起こして患者の体位を変えたり、トレーに盛る印象材を少なめにして咽頭部への刺激を減らす等の工夫を施しているが、奏効することは少ない。嘔気・嘔吐があまりにひどい場合には、麻酔剤を口腔内に噴霧することもあるが、必ずしも有効な方法とはいえず、また、処置後暫くのあいだ、しびれや味覚障害等の不快感を伴う。また、胃内視鏡検査の際に嘔吐反射が激しい場合には、麻酔剤を使用したり、それでも症状がおさまらない場合には、患者を催眠剤で眠らせた後に内視鏡を挿入することもある。
【０００３】
【発明が解決しようとする課題】
治療に際しては、治療目的の達成が優先され、二次的に発生する嘔気・嘔吐については患者に我慢を強いることが多い。検査・治療時に、口腔内に器具を挿入し、嘔気・嘔吐を誘発させることは、治療自体は有益であっても患者に苦痛を強いるものであるため、患者に受診する意欲を失わせるおそれもある。本発明は、このような現状に鑑みて案出されたものであり、嘔気・嘔吐を伴いやすい検査・治療時に事前に貼付することにより嘔気・嘔吐を排除し、これにより円滑な医療行為の遂行を可能にし、及び、嘔気・嘔吐の症状を伴う疾患の症状を緩和させる嘔気・嘔吐抑制パッチ及び方法を提供することを目的とする。
【０００４】
【課題を解決するための手段】
本願請求項１に記載の嘔気・嘔吐抑制パッチは、イオン化傾向の差が大きい一対の金属薄片と、金属薄片に付けられる剥離片付き粘着パッチとを備えていることを特徴とするものである。
【０００５】
本願請求項２に記載の嘔気・嘔吐抑制パッチは、前記請求項１のパッチにおいて、前記金属薄片を互いに接続する導線を更に備えていることを特徴とするものである。
【０００６】
本願請求項３に記載の嘔気・嘔吐抑制パッチは、前記請求項１又は２のパッチにおいて、金属薄片が、銅とアルミニウム、或いは、金とチタンの組合せであることを特徴とするものである。
【０００７】
本願請求項４に記載の嘔気・嘔吐抑制方法は、イオン化傾向の差が大きい一対の金属薄片を準備し、イオン化傾向の小さい方の金属薄片を天突に密着させ、イオン化傾向の大きい方の金属薄片を承漿に密着させることを特徴とするものである。
【０００８】
本願請求項５に記載の嘔気・嘔吐抑制方法は、前記請求項４の方法において、前記金属薄片が、導線によって互いに接続されていることを特徴とするものである。
【０００９】
本願請求項６に記載の嘔気・嘔吐抑制方法は、前記請求項４又は５の方法において、金属薄片が、銅とアルミニウム、或いは、金とチタンの組合せであることを特徴とするものである。
【００１０】
【発明の実施の形態】
次に図面を参照して、本発明の実施の形態について詳細に説明する。図１及び図２において全体として参照符号１０で示される本発明の好ましい実施の形態に係る嘔気・嘔吐抑制パッチは、イオン化傾向の差が大きい一対の金属薄片１２、１４（イオン化傾向の大きい方が１２、イオン化傾向の小さい方が１４）と、金属薄片１２、１４を互いに接続する導線１６とを備えている。
【００１１】
一対の金属薄片１２、１４は、銅とアルミニウムの組合せ、又は、金とチタンの組合せが好ましい。金属薄片１２、１４は、薄い方が皮膚への適合性に優れ、異物感も少なく、貼付した際の見栄えもよいため、厚さは、０．１ｍｍ程度であるのが好ましい。また、金属薄片１２、１４の大きさは、簡便かつ的確に貼付することができる程度のものがよく、直径１ｃｍ程度の円形のものが好ましい。
【００１２】
導線１６は、加工し易い通電性の金属で形成されており、ステンレス鋼又は銅を使用するのが好ましい。太い導線を使用とすると、首を動かしたときに貼付したパッチごと皮膚から剥がれる可能性があるため、細い導線１６を使用するのが好ましい。導線１６の長さは、貼付する２つの経穴の間隔に余裕を持たせるため、約１５ｃｍ〜約２０ｃｍとするのが好ましい。
【００１３】
一対の金属薄片１２、１４には、剥離片１８ａ付きの粘着パッチ１８がそれぞれ付けられている。粘着パッチ１８は、かぶれにくいものが好ましい。粘着パッチ１８の大きさは、金属薄片１２、１４が皮膚に密着するように、直径２ｃｍ程度の円形のものが好ましい。
【００１４】
以上のように構成された嘔気・嘔吐抑制パッチ１０の使用について説明する。まず、粘着パッチ１８の剥離片１８ａを剥がして、金属薄片１２、１４を所定の２つの経穴（ツボ）の位置にそれぞれ貼付する（図３参照）。ここで所定の２つの経穴とは、喉仏の下方の延長線上の左右の鎖骨の間のくぼみに位置する天突（てんとつ）と、おとがい唇溝の中央に位置する承漿（しょうしょう）であるが、イオン化傾向の大きい方の金属薄片１２を承漿に貼付し、イオン化傾向の小さい方の金属薄片１４を天突に貼付する。このようにして皮膚に金属薄片１２、１４を密着させると、金属薄片１２、１４のイオン化傾向の差が大きいため両者の間に電位差が発生して微弱電流が流れ、これにより天突と承漿が刺激され、嘔気・嘔吐に関連する神経及び筋を弛緩させて嘔気・嘔吐の発生が抑制される。
【００１５】
本発明者は、嘔気・嘔吐抑制パッチの効果を確認するための試験を行った。被験者は、嘔吐反射の強い歯科患者である。まず、第１段階として、導線を外した嘔気・嘔吐抑制パッチを被験者の天突と承漿に貼付した。その結果は、口腔内に印象材を入れると依然として軽度の嘔気・嘔吐の症状を呈する被験者がいるものの、貼付しない場合よりも症状が軽減されることが分かった。次いで、第２段階として、導線で接続された嘔気・嘔吐抑制パッチを被験者の天突と承漿に貼付した状態で口腔内に印象材を入れたところ、９割の被験者に嘔気・嘔吐の症状が全く現れず、残りの１割の被験者にも嘔吐反射が見られたものの、その度合いは軽度のものであった。
【００１６】
本発明は、以上の発明の実施の形態に限定されることなく、特許請求の範囲に記載された発明の範囲内で、種々の変更が可能であり、それらも本発明の範囲内に包含されるものであることはいうまでもない。
【００１７】
たとえば、前記実施の形態では、一対の金属薄片が導線で互いに接続されている形態の嘔気・嘔吐抑制パッチが示されているが、金属薄片を導線で接続しない形態とすることもできる。導線で接続しない形態のものは、導線で接続した形態のものと比較して効果が若干劣るものの、入れ歯の慣らしや、妊婦の外出時などの用途に利用することができる。
【００１８】
本発明のパッチ及び方法は、印象採得（冠、義歯等の型取り）、デンタルフィルムによる口腔内Ｘ線撮影、口腔内バキュームチップやデンタルミラー等の口腔内挿入等の歯科診療の分野における他、胃内視鏡や経鼻・経口チューブの挿入、全身麻酔時の気管内挿管、舌圧子等の器具による口腔・咽頭部の検査・治療のような医科診療の分野においても利用できる。また、妊娠中のつわり、二日酔い、乗物酔い、胸やけ時の嘔気、悪性腫瘍に対する抗がん剤の投与や放射線療法の後、或いは全身麻酔覚醒時における嘔気・嘔吐への利用も期待できる。
【００１９】
【発明の効果】
本発明によれば、きわめて簡単かつ安価な装置（パッチ）で使用者に苦痛を与えずに容易に嘔気・嘔吐の抑制を達成することができる。本発明のパッチの使用に際しては、装着時に衣服を脱いだりすることも不要であり、また、安価なものであるため、使用後は廃棄することができる。
【図面の簡単な説明】
【図１】本発明の好ましい実施の形態に係る嘔気・嘔吐抑制パッチの剥離片を剥がした状態を示した図である。
【図２】図１の嘔気・嘔吐抑制パッチの剥離片が付けられている状態を示した図である。
【図３】本発明の嘔気・嘔吐抑制パッチの使用状態を示した図である。
【符号の説明】
１０　嘔気・嘔吐抑制パッチ
１２、１４　金属薄片
１６　導線
１８　粘着パッチ
【図１】
2004051560.tif 000003
【図２】
2004051560.tif 000004
【図３】
2004051560.tif 000005